(57)【要約】【課題】情報の表示品位を劣化させたり、簿型化の妨げとなるという構造上の制約を受けることなく、所望の視野特性を実現した移動端末用表示装置を提供する。【解決手段】可視光を透過させる板状部材の面内に情報を表示する液晶ディスプレイ１１２と、液晶ディスプレイ１１２の背面から方向性を有する照射角で可視光を出射し、液晶ディスプレイ１１２を透過する可視光によって板状部材に表示された情報を照明するバックライト１１１とを有し、任意の方向の視野が、液晶ディスプレイ１１２の視野角及びバックライト１１１の照射角のうち小さい方によって規定される。【選択図】        図１
2005004040.tif 000002
【特許請求の範囲】
【請求項１】
可視光を透過させる板状部材の面内に情報を表示する情報表示手段と、
該情報処理手段の背面から方向性を有する照射角で可視光を出射し、該情報表示手段を透過する可視光によって前記板状部材に表示された情報を照明する照明手段とを有し、
任意の方向の視野が、前記情報表示手段の視野角及び前記照明手段の照射角のうち小さい方によって規定された移動端末用表示装置。
【請求項２】
前記照明手段の照射角は、前記情報表示手段の上下方向に広く、左右方向に狭い方向性を有することを特徴とする請求項１記載の移動端末用表示装置。
【請求項３】
前記情報表示手段の左右方向については、前記照明手段の照射角は該情報表示手段の視野角よりも狭いことを特徴とする請求項１又は２記載の移動端末用表示装置。
【請求項４】
前記情報表示手段は、透過モードを有する表示装置であることを特徴とする請求項１から３のいずれか１項記載の移動端末用表示装置。
【請求項５】
前記照明手段は、少なくとも一つの点光源と、該点光源が発した光を取り込んで内部で拡散したのち出射面から発する導光体と、該導光体から出射した光の拡散及び集光の少なくとも一方を行うシート状部材とを有し、
前記導光体が前記出射面において光を発する方向と、前記シート状部材が前記導光体から出射した光を拡散又は集光する度合との少なくともいずれかを調整することにより、該照明手段に方向性を有する照射角が設定されたことを特徴とする請求項１から４のいずれか１項記載の移動端末用表示装置。
【請求項６】
前記点光源は、ＬＥＤであることを特徴とする請求項６記載の移動端末用表示装置。
【請求項７】
請求項１から６のいずれか１項記載の移動端末用表示装置を備えた移動端末。
【発明の詳細な説明】
【０００１】
【発明の属する技術分野】
本発明は、移動端末用表示装置及び移動端末に関し、特に、移動端末の操作者にとっての情報の視認性と操作者以外の者に対する秘匿性とを兼ね備える移動端末用表示装置及びこれを備えた移動端末に関する。
【０００２】
【従来の技術】
表示装置を備える移動端末においては、端末自体を小型化・薄型化することに加え、表示装置に表示される情報の視認性を高めることとも要求されている。このような目的を達成するための従来技術としては、特許文献１に開示される「情報携帯機器」がある。
【０００３】
【特許文献１】
特開２００１−８６２１６号公報
【０００４】
【発明が解決しようとする課題】
昨今の移動端末用表示装置においては、単に表示される情報の視認性を高めるだけでなく、視野特性を最適化することも重要な要素の一つとなっている。
例えば、携帯電話機のような移動端末の場合は、表示装置には個人のプライバシーに関わる情報（電話番号、電子メールアドレス等）が表示されることも多いが、これらの端末は操作者以外に不特定多数の他者がいる環境下で使用されることも多いため、表示装置に表示された情報を操作者以外の者が視認しにくいようにする必要がある。
【０００５】
このため、携帯電話機のような移動端末の表示装置においては、操作者以外の者が表示された情報を視認しにくいように左右方向には狭く、操作者がどのように端末を保持するか又は表示装置と操作者の目との位置関係などを考慮して上下方向に広い視野角を備えるという視野特性が求められている。
【０００６】
一般に、液晶ディスプレイの視野角を広げる場合には、液晶ディスプレイの表面に光学フィルムを貼り付ける手法や、移動端末の表示装置として通常用いられているＴＮモードの液晶ディスプレイと比較して広視野角特性が得られるＩＰＳモード、ＶＡモードなどの液晶モードの液晶ディスプレイを採用する手法が適用される。
【０００７】
しかし、液晶ディスプレイの表面に光学フィルムを貼り付ける手法では、光学フィルムの光学特性を工夫することで視野特性を最適化することが可能だが、貼り付けた光学フィルムの分だけ表示装置の厚さが増加してしまうため、移動端末の薄型化が要求される昨今においては、移動端末が構造上の制約を受けることとなる。さらに、液晶ディスプレイから出射した光は光学フィルムを通過する際に減衰するため、液晶ディスプレイを照明する光の強度が低くなり、表示品位が低下してしまう。
【０００８】
一方、広視野角特性を備えた液晶モードの液晶ディスプレイを採用する手法では、視野角を広げることはできるものの、左右方向についても視野角が広がってしまうため、操作者以外の者が情報を視認しやすくなってしまう。よって、移動端末の場合には、単に視野角が広い表示装置を適用しただけでは、要求されている視野特性を満足させることはできない。
【０００９】
このように、従来の移動端末においては、表示装置の表示品位を劣化させたり、薄型化の妨げとなるという構造上の制約を受けること無く視野特性を最適化することはできなかった。
【００１０】
本発明は係る問題に鑑みてなされたものであり、情報の表示品位を劣化させたり、薄型化の妨げとなるという構造上の制約を受けることなく、所望の視野特性を実現した移動端末用表示装置及びこれを備えた移動端末を提供することを目的とする。
【００１１】
【課題を解決するための手段】
上記目的を達成するため、本発明は、第１の態様として、可視光を透過させる板状部材の面内に情報を表示する情報表示手段と、該情報処理手段の背面から方向性を有する照射角で可視光を出射し、該情報表示手段を透過する可視光によって板状部材に表示された情報を照明する照明手段とを有し、任意の方向の視野が、情報表示手段の視野角及び照明手段の照射角のうち小さい方によって規定された移動端末用表示装置を提供するものである。
【００１２】
以上の構成においては、照明手段の照射角は、情報表示手段の上下方向に広く、左右方向に狭い方向性を有することが好ましい。また、情報表示手段の左右方向については、照明手段の照射角は該情報表示手段の視野角よりも狭いことが好ましい。また、情報表示手段は、透過モードを有する表示装置であることが好ましい。
【００１３】
また、照明手段は、少なくとも一つの点光源と、該点光源が発した光を取り込んで内部で拡散したのち出射面から発する導光体と、該導光体から出射した光の拡散及び集光の少なくとも一方を行うシート状部材とを有し、導光体が出射面において光を発する方向と、シート状部材が導光体から出射した光を拡散又は集光する度合との少なくともいずれかを調整することにより、該照明手段に方向性を有する照射角が設定されたことが好ましく、これに加えて、点光源は、ＬＥＤであることがより好ましい。
【００１４】
また、上記目的を達成するため、本発明は、第２の態様として、上記本発明の第１の態様に係る移動端末用表示装置を備えた移動端末を提供するものである。
【００１５】
【発明の実施の形態】
本発明の好適な実施の形態について説明する。図１に、本実施形態に係る携帯電話端末の構成を示す。携帯電話端末１０は、表示部１１と操作部１２とがヒンジ部１３を介して接続された構成である。ここでは、ヒンジ部１３の軸方向をＸ−Ｘ’方向、ヒンジ部１３の軸と垂直かつ表示部１１の表面と平行な方向をＹ−Ｙ’方向と定義する。
【００１６】
図２に、表示部１１の断面の構造を示す。表示部１１が備える表示装置は、バックライト１１１と液晶ディスプレイ１１２とを有して構成されている。
【００１７】
液晶ディスプレイ１１２には、ＴＮモードよりも視野角が広いＩＰＳモードやＶＡモードなどの液晶モードが用いられる。なお、ここでは説明の簡略化のため、図３に示すように、液晶ディスプレイ１１２は全方位に対して同じ視野角を有するものとする。より詳しくは、図４に示すように、液晶ディスプレイ１１２は、ＴＮモードの液晶ディスプレイの視野角ＴＮと比較して、あらゆる方向に対して広い視野角αを備えている。ここで、視野角αは、表示装置として所望される視野角以上の角度である。
【００１８】
バックライト１１１は、ＬＥＤ１１１１を光源としており、ＬＥＤ１１１１を出射した光は平板状の導光体１１１２に入射し、導光体１１１２内部において液晶ディスプレイ１１２の表示領域全体に行き渡るように拡散される。導光体１１１２から出射した光は光学シート１１１３を通過するが、光学シート１１１３には微細な凹凸パターンが形成されており、導光体１１１２から入射した光を拡散又は集光し、バックライト光として所定の角度の範囲内に照射する。光学シート１１１３を介して導光体１１１２から液晶ディスプレイ１１２に入射した光（バックライト光）は、液晶ディスプレイ１１２を透過する際に液晶が形成している文字などを浮き上がらせて照明する。
【００１９】
バックライト１１１は、導光体１１２から出射する光の方向及び光学シート１１１３の光透過特性を調整することにより、図５に示すように、表示部１１１の上下方向（Ｙ−Ｙ’方向）については広い範囲に、表示部１１１の左右方向（Ｘ−Ｘ’方向）については液晶ディスプレイの正面付近にのみバックライト光を出射するようになっている。
【００２０】
より詳しくは、図６に示すように、従来のバックライトがバックライト光を照射する角度を“Ｎ”とすると、バックライト１１１は、Ｘ−Ｘ’方向についてはＮ＞β１の範囲に、Ｙ−Ｙ’方向についてはＮ≦β２の範囲にバックライト光を照射する。
【００２１】
図７に示すように、表示部１１が備える表示装置としての視野角は、バックライト１１１がバックライト光を発する角度と液晶ディスプレイ１１２の視野角との組合せによって決定される。ここでは、液晶ディスプレイ１１２はあらゆる方向に対して広い視野角を備えているが、バックライト１１１は、上下方向には広く左右方向には狭い範囲にバックライト光を発するため、表示部１１の視野角は上下方向に広く左右方向に狭くなる。
【００２２】
すなわち、（ａ）に示すように、Ｘ−Ｘ’方向については、液晶ディスプレイ１１２の視野角αよりもバックライト１１１の照射角β１の方が小さいため、表示装置としてのＸ−Ｘ’方向の視野角はβ１となる。一方、Ｙ−Ｙ’方向については、液晶ディスプレイ１１２の視野角αよりもバックライト１１１の照射角β２の方が大きいため、表示装置としてのＹ−Ｙ’方向の視野角はαとなる。
ここでは、β１＜α＜β２という関係が成り立つ場合を例に説明を行ったが、β２≦αであっても良いことは言うまでもなく、この場合には、表示装置としてのＹ−Ｙ’方向の視野角はβ２となる。
【００２３】
このように、広視野角特性を備えた液晶ディスプレイとバックライト光を発する方向が調整されたバックライトとを組み合わせることで、移動端末の表示装置に最適な視野角を設定することが可能となる。換言すると、あらゆる方向において表示装置として所望される視野角以上に広い角度から視認可能な液晶ディスプレイと光を発する方向が調整されたバックライトとを組み合わせることで、表示装置としての視野角に方向性を持たせ、移動端末用の表示装置として最適な視野特性を実現できる。
【００２４】
なお、本実施形態では、バックライト光を発する範囲を左右方向に狭くしているため、液晶ディスプレイの正面近傍にバックライト光を集中させることができる。よって、ＬＥＤ１１１１が発する光量が同じであっても、従来の構成の液晶表示装置よりも高い輝度で情報を表示させることができ、同じ輝度で情報を表示させるのであれば、ＬＥＤ１１１１において消費する電力は従来の構成の液晶表示装置よりも少なくなる。
【００２５】
このように、本発明によれば、表示装置における情報の表示品位を劣化させたり、薄型化の妨げとなるという構造上の制約を受けることなく、所望の視野特性を実現した表示装置及びこれを備えた移動端末を提供できる。
【００２６】
なお、上記実施形態は本発明の好適な実施の一例であり、本発明はこれに限定されることはない。
例えば、本発明によれば、液晶ディスプレイの視野角とバックライトの照射角との組合せを替えることにより、任意の視野特性を実現することが可能であり、左右方向に広く、上下方向に狭い視野特性を移動端末用表示装置に持たせることも可能である。
【００２７】
また、上記実施形態においては、液晶ディスプレイの視野角が全方向で同じであるとしたが、液晶ディスプレイの視野角に方向性があっても良い。
【００２８】
さらに、上記実施形態では、折り畳み型の携帯電話機を例に説明を行ったが、携帯電話機に限定されることなく、ＰＤＡやノート型コンピュータ端末などにも適用可能である。また、表示部と操作部とをヒンジ部を介して折り畳む方式の移動端末に限定されることはなく、表示部と操作部とが一体となった“スティック型（ストレート型）”の移動端末や、表示部が表示装置の画面に対して垂直な方向を軸に回転することで伸縮する“回転型”の移動端末にも適用可能である。
このように、本発明は様々な変形が可能である。
【００２９】
【発明の効果】
以上の説明によって明らかなように、本発明によれば、情報の表示品質を劣化させたり、薄型化の妨げとなるという構造上の制約を受けることなく、所望の視野特性を実現した移動端末用表示装置及びこれを備えた移動端末を提供できる。
【図面の簡単な説明】
【図１】本発明を好適に実施した表示装置を備える移動端末の構成を示す図である。
【図２】液晶表示装置の断面を示す図である。
【図３】液晶ディスプレイの視野角の方向依存性を示す図である。
【図４】（ａ）は、液晶ディスプレイのＸ−Ｘ’方向の視野角を示す図、（ｂ）は、液晶ディスプレイのＹ−Ｙ’方向の視野角を示す図である。
【図５】バックライトの光照射角の方向依存性を示す図である。
【図６】（ａ）は、バックライトのＸ−Ｘ’方向の光照射角を示す図、（ｂ）は、バックライトのＹ−Ｙ’方向の光照射角を示す図である。
【図７】（ａ）は、表示装置のＸ−Ｘ’方向の視野角を示す図、（ｂ）は、表示装置のＹ−Ｙ’方向の視野角を示す図である。
【符号の説明】
１１  表示部
１２  操作部
１３  ヒンジ部
１１１  バックライト
１１２  液晶ディスプレイ
１１３  光学シート
１１１１  ＬＥＤ
１１１２  導光体
【図１】
2005004040.tif 000003
【図２】
2005004040.tif 000004
【図３】
2005004040.tif 000005
【図４】
2005004040.tif 000006
【図５】
2005004040.tif 000007
【図６】
2005004040.tif 000008
【図７】
2005004040.tif 000009